(57)【要約】【課題】バス電極やブラックストライプ等の光吸収層の背面側を反射性にすると、反射光の再利用により光出射効率が向上するが、反射光が隣接セルに入射して鮮鋭度の劣化に繋がる。【解決手段】バス電極１２３及び光吸収部材（ブラックストライプ）１２４はそれぞれ、光を吸収する光吸収層１２３Ｂ及び１２４Ｂと、回帰反射性を有する回帰反射層１２３Ｗ及び１２４Ｗとを含んでいる。セル空間１３０Ｂからバス電極１２３及び光吸収部材１２４に入射した光は、再度セル空間１３０Ｂに戻った後、蛍光体層１１５によって拡散反射されて、セル空間１３０Ｂの前面側から出射するので、鮮鋭度を損なうことなく、出射効率を向上できる。【選択図】図１
2008192512.tif 000002
【特許請求の範囲】
【請求項１】
互いに対向する前面パネル及び背面パネルを有するプラズマディスプレイパネルであって、
前記背面パネルに形成される蛍光体と、
前記蛍光体の前面側に配置され、前記蛍光体側から入射した光を回帰反射させる反射部材とを備える、プラズマディスプレイパネル。
【請求項２】
前記前面パネルは、
光を透過させる複数の第１電極と、
前記第１電極の各々の背面側に配置される複数の第２電極とを含み、
前記第２電極の各々は、
光を吸収する第１光吸収層と、
前記第１光吸収層の背面側に設けられる前記反射部材とを含む、請求項１記載のプラズマディスプレイパネル。
【請求項３】
前記背面パネルは、所定間隔毎に線状に形成される複数の隔壁を含み、
前記前面パネルは、前記隔壁の各々の前面側に形成され、外光を吸収する複数の光吸収部材を更に備え、
前記光吸収部材の各々は、
光を吸収する第２光吸収層と、
前記第２光吸収層の背面側に設けられる前記反射部材とを含む、請求項１記載のプラズマディスプレイパネル。
【発明の詳細な説明】
【技術分野】
【０００１】
本発明は、ＴＶ受像機、情報端末ディスプレイなどに用いられるプラズマディスプレイパネルに関する。
【背景技術】
【０００２】
薄型で大画像表示が可能なプラズマディスプレイは、製造技術の進展による価格低減や、高画質化技術の開発に伴って急速に普及し、大型のＴＶ受像機などに広く用いられている。
【０００３】
プラズマディスプレイパネルは、ガス放電によって発生した紫外線が蛍光体を励起して可視光を発光させ、表示光を出力するディスプレイであり、セルと呼ばれる小領域毎に発光を制御することによって、画像が形成される。
【０００４】
図３は、従来のプラズマディスプレイパネルの概略構成を示す断面図である。
【０００５】
図３に示されるプラズマディスプレイパネルは、背面パネル３１０と、これに対向して配置される前面パネル３２０とを備える。背面パネル３１０及び前面パネル３２０の周囲は封着され、これらの間に形成されるセル空間３３０Ａ〜３３０Ｃには、Ｘｅ、Ｈｅ、Ｎｅなどの放電ガスが封入されている。また、プラズマディスプレイパネルの観察側には、電磁波シールド機能、色補正機能、反射防止機能などを備える前面フィルター（図示せず）が取り付けられる。
【０００６】
背面パネル３１０は、背面基板３１１と、背面基板３１１上に形成され、画素選択を行うためのアドレス電極３１２と、アドレス電極３１２を被覆する誘電体層３１３と、隣接するセル間の境界となる隔壁３１４と、紫外線により励起されて発光する蛍光体が塗布された蛍光体層３１５とを含んでいる。
【０００７】
一方、前面パネル３２０は、前面基板３２１と、前面基板３２１の一方面上に形成される対向電極３２９と、対向電極を被覆する誘電体層３２５と、誘電体層３２４を覆う保護層３２６とを含んでいる。図３に示されるように、セル内での放電を維持するための対向電極３２９は、通常、光の透過率の高い透明電極３２２と、抵抗値の低いバス電極３２３との２層構造にて構成される。前面パネル３２０は生成した映像光を観察側へと透過させる必要があるので、透明電極３２２は、ＩＴＯ等の薄膜透明材料により形成される。薄膜透明材料は、比較的高い抵抗値を示すが、図３の紙面横方向の電極幅は短く、かつ、１つのセルに対応する電流が流れるだけなので、その抵抗値の高さによって問題が生じることはない。ただし、図３の紙面奥行き方向においては、導通パスが長く、かつ、各セルの電流が合算されるため、電極材料には低い抵抗値が要求される。そこで、透明電極３２２上の一部には、透明性がない代わりに抵抗値の低い金属材料によって、バス電極３２３が形成されている。
【０００８】
使用時には、対向する電極間に数十ｋＨｚから数百ｋＨｚの周波数を有するパルス状ＡＣ電圧を印加して表示放電を得る。放電に伴って発生した紫外線によって蛍光体が励起され、その結果、可視光の発光が得られるのは前述した通りである。
【０００９】
上記のようなプラズマディスプレイパネルは、その構造上、比較的容易に大画面が実現でき、自発光で視野角依存性が無く、動画表示性能に優れ、暗い環境下でのコントラストが高いという特徴を備えるので、特に、大画面ＴＶ受像機としての用途が拡大している。
【００１０】
しかしながら、プラズマディスプレイパネルの表示面のほぼ全面に反射率の高い蛍光体層３１５が形成されているため、明るい環境下での外光反射が大きくなり、暗い環境下では十分高いコントラストが、明るい環境下では低下しやすいという傾向がある。
【００１１】
外光の反射によるコントラスト低下を低減する方法としては、バス電極を光吸収材料で構成する方法や、放電には寄与しないストライプ状の光吸収層（以下、「ブラックストライプ」という）を設ける方法が知られている。このような方法によれば、外光の反射を低減して、外光反射に起因するコントラスト低下を抑制できることを期待できる。
【００１２】
しかしながら、これらの方法では、映像光もまたバス電極やブラックストライプに吸収されてしまうので、画面が暗くなるという問題は避けられない。
【００１３】
そこで、別の方法として、バス電極３２３及びブラックストライプ３２４をそれぞれ、観察側の光吸収層３２３Ｂ及び３２４Ｂと、映像側の光反射層３２３Ｗ及び３２４Ｗとからなる２層構造に形成することが提案されている（例えば、特許文献１参照）。
【００１４】
図３に示されるバス電極３２３及びブラックストライプ３２４の構造によれば、蛍光体層３１５からバス電極３２３及びブラックストライプ３２４に入射した映像光は、吸収されることなく、反射層３２３Ｗ及び３２４Ｗで、背面パネル３１０側に反射される。上述したように、背面パネル３１０の表面の大部分は、反射率の高い蛍光体層３１５で覆われているため、反射層３２３Ｗ及び３２４Ｗで反射された光は、蛍光体層３１５で再び観察側に反射されてその大部分が観察側へと出射する。
【特許文献１】特開平１０−２８３９３７号公報
【発明の開示】
【発明が解決しようとする課題】
【００１５】
上記の特許文献１に記載の方法によれば、映像光の損失を最低限に抑えつつ、外光反射を低減できるので、明るい映像光を出力するプラズマディスプレイパネルを実現できると考えられる。
【００１６】
しかしながら、実際には、図３に破線で示されるように、セル空間１３０Ｂで発光した光は、反射層１２３Ｗ及び１２４Ｗで反射した後、セル空間１３０Ｂのみならず、セル空間１３０Ｂに隣接するセル空間１３０Ａまたは１３０Ｃにも入射し得る。この結果、セル空間１３０Ｂから出射されるべき光の一部が、他のセルから空間から出射するため、画像の鮮鋭度が低下するという問題が発生する。
【００１７】
本発明は、上記の問題を考慮し、鮮鋭度を維持すると共に、映像光の損失を極力抑えつつ外光反射を低減して、小さな消費電力で明るく鮮明な表示が可能で、外光コントラストに優れたプラズマディスプレイを実現することを目的とする。
【課題を解決するための手段】
【００１８】
本発明は、互いに対向する前面パネル及び背面パネルを有するプラズマディスプレイパネルであって、背面パネルに形成される蛍光体と、蛍光体の前面側に配置され、蛍光体側から入射した光を回帰反射させる反射部材とを備えるものである。
【発明の効果】
【００１９】
本発明に係るプラズマディスプレイパネルの構成によれば、蛍光体から出射した光の一部は、反射部材によって回帰反射されて光源の蛍光体側に戻った後、蛍光体によって再度拡散反射されるので、鮮鋭度を損なうことなく、発光効率を向上することが可能となる。
【発明を実施するための最良の形態】
【００２０】
図１は、本発明の一実施形態に係るプラズマディスプレイパネルの概略構成を示す断面図である。
【００２１】
本実施形態に係るプラズマディスプレイパネル１００は、回帰反射性を有する回帰反射層１２３Ｗ及び１２４Ｗを含んでいる点に特徴を有しており、この点で、単純反射性を有する反射層３２３Ｗ及び３２４Ｗを有する従来のプラズマディスプレイパネル（図３）と異なっている。以下、図１を参照しながら、本実施形態に係るプラズマディスプレイパネル１００についてより詳細に説明する。
【００２２】
プラズマディスプレイパネル１００は、背面パネル１１０と、これに対向するように配置される前面パネル１２０とを備える。背面パネル１１０及び前面パネル１２０の周囲は封着されており、これらの間のセル空間１３０には、Ｘｅ、Ｈｅ、Ｎｅ等の放電ガスが封入されている。
【００２３】
背面パネル１１０は、背面基板１１１と、背面基板１１１上に形成され、画素選択を行うためのアドレス電極１１２と、アドレス電極１１２を被覆する誘電体層１１３と、所定間隔毎に形成され、隣接するセル間の境界となる複数の隔壁１１４と、紫外線により励起されて発光する蛍光体が塗布された蛍光体層１１５とを含んでいる。
【００２４】
一方、前面パネル１２０は、前面基板１２１と、前面基板１２１の一方面上に形成され、光を透過させる透明電極１２２と、透明電極１２２上に部分的に形成されるバス電極１２３とを含む対向電極１２９と、隔壁１１４の各々の前面側に形成される複数の光吸収部材（ブラックストライプ）１２４と、対向して対向電極１２９を被覆する誘電体層１２５と、誘電体層１２５を覆う保護層１２６とを含んでいる。
【００２５】
バス電極１２３は、光を吸収する光吸収層１２３Ｂと、光吸収層１２３Ｂの背面側に設けられ、蛍光体層１１５側から入射した光を回帰反射させる回帰反射層１２３Ｗとを含んでいる。同様に、光吸収部材１２４は、光を吸収する光吸収層１２４Ｂと、光吸収層１２３Ｂの背面側に設けられ、回帰反射性を有する回帰反射層１２４Ｗとを含んでいる。
【００２６】
尚、回帰反射性（再帰反射性）とは、ある光源から入射した光を、当該光源に向かって反射させる性質のことをいう。回帰反射性を有する材料は、例えば、夜間の視認性を高めた交通標識等の反射シート等に広く用いられている。
【００２７】
図２は、図１に示される回帰反射層の構成例を示す図である。
【００２８】
図２に示される回帰反射層１２３Ｗは、球形レンズとして機能する透明微粒子１２３Ｗ２と、光を反射する反射材１２３Ｗ１とを含んでいる。透明微粒子１２３Ｗ２は、誘電体層１２５より高い屈折率を有する材料を用いて、その実効焦点距離と直径とがほぼ等しくなるように形成されている。例えば、誘電体層の屈折率が１．５である場合、透明微粒子１２３Ｗ２は、２．７程度の屈折率を有することが望ましい。
【００２９】
蛍光体層１１５の発光により生じた光は、図２に矢印で示される光路を辿って、反射材１２３Ｗ１によって蛍光体層１１５側へと反射される。同様に、回帰反射層１２３Ｗと同じ構成を有する回帰反射層１２４Ｗ（図１）もまた、入射した光をその光源側に回帰反射させる。
【００３０】
この結果、図１に示されるように、セル空間１３０Ｂで発光した光の一部は、回帰反射層１２３Ｗ及び１２４Ｗで反射された後、隣接するセル空間１３０Ａ及び１３０Ｃに入射することなく、セル空間１３０Ｂに戻る。その後、セル空間１３０Ｂに戻った光は、蛍光体層１１５によって拡散反射され、セル空間１３０Ｂの前面側に出射する。
【００３１】
以上説明したように、本実施形態に係るプラズマディスプレイパネル１００においては、あるセル空間内の蛍光体層１１５からバス電極２１３及び光吸収部材２１４の背面側に入射した光は、回帰反射層１２３Ｗ及び１２４Ｗによって回帰反射されて、当該あるセルに戻り、観察側から前面パネル１２０に入射した光は、バス電極２１３及び光吸収部材の前面側に設けられる光吸収層１２３Ｂ及び１２４Ｂによって吸収される。したがって、本実施形態によれば、鮮鋭度の高い映像を出力することができ、かつ、消費電力を増加することなく、外光反射に起因するコントラスト低下が抑制されたプラズマディスプレイパネル１００を実現することが可能となる。
【００３２】
尚、上記の実施形態では、回帰反射層の構成例を特定しているが、回帰反射層は、入射した光をその光源側に反射させる性質を発揮する構成であれば、他の材料及び構造を有していても良い。
【００３３】
また、上記の実施形態では、バス電極及び光吸収部材（ブラックストライプ）の両方に回帰反射層が設けられているが、バス電極または光吸収部材の一方にのみ回帰反射層が設けられていても良い。
【００３４】
更に、上記の実施形態では、外光反射を防止するための光吸収部材としてブラックストライプが設けられているが、ブラックストライプを備えないプラズマディスプレイパネルにも本発明を適用できることは言うまでもない。
【００３５】
更に、上記の実施形態では、回帰反射層の数や、形成位置及び範囲が特定されているが、プラズマディスプレイパネルの構成に応じて変更しても良い。
【産業上の利用可能性】
【００３６】
本発明に係るプラズマディスプレイパネルは、小さな消費電力で明るく鮮明な画像を表示できるので、本発明は、例えばＴＶ受像機等の映像出力機器に利用できる。
【図面の簡単な説明】
【００３７】
【図１】本発明の一実施形態に係るプラズマディスプレイパネルの概略構成を示す断面図
【図２】図１に示される回帰反射層の構成例を示す図
【図３】従来のプラズマディスプレイパネルの概略構成を示す断面図
【符号の説明】
【００３８】
１００  プラズマディスプレイパネル
１１０  背面パネル
１１１  背面基板
１１２  アドレス電極
１１３  誘電体層
１１４  隔壁
１１５  蛍光体層
１２０  前面パネル
１２１  前面基板
１２２  透明電極
１２３  バス電極
１２３Ｂ  光吸収層
１２３Ｗ  回帰反射層
１２３Ｗ１  反射材
１２３Ｗ２  透明微粒子
１２４  光吸収部材（ブラックストライプ）
１２４Ｂ  光吸収層
１２４Ｗ  回帰反射層
１２５  誘電体層
１２６  保護層
【図１】
2008192512.tif 000003
【図２】
2008192512.tif 000004
【図３】
2008192512.tif 000005